(57)【要約】【課題】開口端部を備えたプラグホール内に配置して用いる際に、コネクタケースに割れが生じることを防止して、プラグホール内に水が浸入することを防止できる点火コイルを提供すること。【解決手段】点火コイル１は、筒状の一次コイル２１及び二次コイル２２を備えた円筒部１１の軸方向一端部１１１を、コネクタケース３の嵌入穴３０内に嵌入してなると共に、円筒部１１をエンジン８におけるプラグホール８１内に配置し、円筒部１１に装着した環状のシール部材４を、プラグホール８１における開口端部８２内に嵌入して用いる。円筒部１１の軸方向一端部１１１をコネクタケース３の嵌入穴３０内に嵌入した嵌入位置Ａと、シール部材４をプラグホール８１の開口端部８２内に嵌入した嵌入位置Ｂとが、円筒部１１の軸方向Ｌにずれている。【選択図】図１
2007311715.tif 000002
【特許請求の範囲】
【請求項１】
筒状の一次コイル及び二次コイルを備えた円筒部の軸方向一端部を、上記一次コイルに電力供給を行うためのコネクタケースの嵌入穴内に嵌入してなると共に、上記円筒部をエンジンにおけるプラグホール内に配置し、上記円筒部に装着した環状のシール部材を、上記プラグホールにおける開口端部内に嵌入して用いる点火コイルにおいて、
上記シール部材は、上記円筒部の軸方向一端部の最外周面に装着してあり、かつ当該装着位置の外周側において、上記プラグホールの開口端部内に嵌入するよう構成してあり、
上記円筒部の軸方向一端部を上記コネクタケースの嵌入穴内に嵌入した嵌入位置と、上記シール部材を上記プラグホールの開口端部内に嵌入した嵌入位置とが、上記円筒部の軸方向にずれていることを特徴とする点火コイル。
【請求項２】
請求項１において、上記シール部材は、円筒形状の本体部の外周の全周に、上記プラグホールの開口端部に当接するシール突起を有しており、かつ上記本体部の内周の全周に、上記シール突起の形成位置に対応して、該シール突起の弾性変形量を大きくするための弾性変形用凹部を形成してなり、
上記本体部の内周における上記弾性変形用凹部を形成した以外の部位には、上記円筒部の軸方向一端部の最外周面に密着する密着面が形成してあることを特徴とする点火コイル。
【請求項３】
請求項２において、上記シール突起及び上記弾性変形用凹部は、上記シール部材の軸方向の複数箇所に形成してあることを特徴とする点火コイル。
【請求項４】
請求項１〜３のいずれか一項において、上記シール部材は、その軸方向一端側の端部に、上記コネクタケースにおける筒状先端部の外周に覆い被さった補助シール部を有していることを特徴とする点火コイル。
【請求項５】
請求項１〜４のいずれか一項において、上記円筒部の最外周面は、一次コイル及び二次コイルによる磁気経路を形成するための円筒状の磁性体からなる外周コアによって形成してあることを特徴とする点火コイル。
【請求項６】
請求項１〜５のいずれか一項において、上記プラグホールの開口端部は、該プラグホールの一般部よりも拡径し、上記シール部材を嵌入するよう構成した段付開口端部であることを特徴とする点火コイル。
【発明の詳細な説明】
【技術分野】
【０００１】
本発明は、内燃機関において、スパークプラグからスパークを発生させるために用いる点火コイルに関する。
【背景技術】
【０００２】
内燃機関においては、エンジンに設けたプラグホール内に点火コイルを配置しており、プラグホール内に水が浸入することを防止するために、点火コイルの外周には、プラグホールの開口端部に係合するシール部材を装着している。このシール部材を装着した点火コイル（点火装置）としては、例えば、特許文献１に開示されたものがある。
【０００３】
また、特許文献２の点火装置においては、１次コイル、２次コイル、中心コア、サイドコア等を組み付けてなる胴体部分と、イグナイタユニットを配設するイグナイタケースとを別体にて形成した後、胴体部分とイグナイタケースとを組み付けて点火装置を形成している。そして、胴体部分の外周面には、プラグホール内に水が浸入することを防止するシ−ルゴムを設けている。
【０００４】
ところで、点火コイルの外周に装着したシール部材は、プラグホールにおける開口端部内に嵌入する場合がある。この場合において、シール部材を、熱可塑性樹脂からなるコネクタケースの外周に装着すると、このシール部材を開口端部内に嵌入する際に、コネクタケースが割れてしまうおそれがある。
【０００５】
【特許文献１】特開平９−１３３０６８号公報
【特許文献２】特開平１０−８９２１９号公報
【発明の開示】
【発明が解決しようとする課題】
【０００６】
本発明は、かかる従来の問題点に鑑みてなされたもので、開口端部を備えたプラグホール内に配置して用いる際に、コネクタケースに割れが生じることを防止して、プラグホール内に水が浸入することを防止することができる点火コイルを提供しようとするものである。
【課題を解決するための手段】
【０００７】
本発明は、筒状の一次コイル及び二次コイルを備えた円筒部の軸方向一端部を、上記一次コイルに電力供給を行うためのコネクタケースの嵌入穴内に嵌入してなると共に、上記円筒部をエンジンにおけるプラグホール内に配置し、上記円筒部に装着した環状のシール部材を、上記プラグホールにおける開口端部内に嵌入して用いる点火コイルにおいて、
上記シール部材は、上記円筒部の軸方向一端部の最外周面に装着してあり、かつ当該装着位置の外周側において、上記プラグホールの開口端部内に嵌入するよう構成してあり、
上記円筒部の軸方向一端部を上記コネクタケースの嵌入穴内に嵌入した嵌入位置と、上記シール部材を上記プラグホールの開口端部内に嵌入した嵌入位置とが、上記円筒部の軸方向にずれていることを特徴とする点火コイルにある（請求項１）。
【０００８】
本発明の点火コイルは、その円筒部をプラグホール内に挿入配置して用いるスティックタイプのものであり、プラグホール内に水が浸入することを防止するためのシール部材の形状に工夫を行ったものである。
具体的には、本発明のシール部材は、円筒部の最外周面に装着した位置の外周側において、プラグホールの開口端部内に嵌入する。そして、円筒部をコネクタケースの嵌入穴内に嵌入した嵌入位置と、シール部材をプラグホールの開口端部内に嵌入した嵌入位置とが、円筒部の軸方向にずれている。
【０００９】
これにより、点火コイルをプラグホール内に配置して、シール部材をプラグホールにおける開口端部内に嵌入する際には、この嵌入を行う際に開口端部からシール部材に加わる押圧力は、コネクタケースに作用させることなく、円筒部に作用させることができる。そのため、上記嵌入の際に、コネクタケースが割れてしまうことを防止することができる。
そして、点火コイルをプラグホール内に配置して、シール部材をプラグホールにおける開口端部内に嵌入した状態においては、シール部材によって、プラグホール内に水が浸入することを防止することができる。
【００１０】
それ故、本発明の点火コイルによれば、点火コイルを開口端部を備えたプラグホール内に配置して用いる際に、コネクタケースに割れが生じることを防止して、プラグホール内に水が浸入することを防止することができる。
【発明を実施するための最良の形態】
【００１１】
上述した本発明における好ましい実施の形態につき説明する。
本発明において、上記シール部材は、円筒形状の本体部の外周の全周に、上記プラグホールの開口端部に当接するシール突起を有しており、かつ上記本体部の内周の全周に、上記シール突起の形成位置に対応して、該シール突起の弾性変形量を大きくするための弾性変形用凹部を形成してなり、上記本体部の内周における上記弾性変形用凹部を形成した以外の部位には、上記円筒部の軸方向一端部の最外周面に密着する密着面が形成してあることが好ましい（請求項２）。
【００１２】
この場合には、プラグホールにおける開口端部内にシール部材を嵌入する際に、弾性変形凹部の形成によって、シール突起を径方向内方へ容易に変形させることができる。これにより、開口端部内へのシール部材の嵌入性（圧入性）を向上させることができる。
また、開口端部とシール部材との間は、シール突起によってシールすることができ、シール部材と円筒部との間は、円筒部の最外周面への密着面の密着によってシールすることができる。これにより、シール部材によるシール性を向上させることができる。
【００１３】
また、上記シール突起及び上記弾性変形用凹部は、上記シール部材の軸方向の複数箇所に形成することが好ましい（請求項３）。
この場合には、上記嵌入性及びシール性を安定して向上させることができる。
【００１４】
また、上記シール部材は、その軸方向一端側の端部に、上記コネクタケースにおける筒状先端部の外周に覆い被さった補助シール部を有していることが好ましい（請求項４）。
この場合には、コネクタケースとシール部材との境界部分から、シール部材と円筒部との間に水が浸入することを効果的に防止することができる。
【００１５】
また、上記円筒部の最外周面は、一次コイル及び二次コイルによる磁気経路を形成するための円筒状の磁性体からなる外周コアによって形成することが好ましい（請求項５）。
この場合には、円筒部の強度を高くすることができ、シール部材をプラグホールにおける開口端部内に嵌入する際に、この開口端部からシール部材に加わる押圧力を、強度が高い外周コアによって安定して受け止めることができる。
なお、上記円筒部の最外周面は、一次コイル及び二次コイルを挿通配置するコイルケースによって形成することもできる。
【００１６】
また、上記プラグホールの開口端部は、該プラグホールの一般部よりも拡径し、上記シール部材を嵌入するよう構成した段付開口端部とすることができる（請求項６）。
この場合には、シール部材によるシール性をさらに向上させることができる。
【実施例】
【００１７】
以下に、本発明の点火コイルにかかる実施例につき、図面と共に説明する。
本例の点火コイル１は、図１、図２に示すごとく、筒状の一次コイル２１及び二次コイル２２を備えた円筒部１１の軸方向一端部１１１を、一次コイル２１に電力供給を行うためのコネクタケース３の嵌入穴３０内に嵌入してなるものである。また、この点火コイル１は、円筒部１１をエンジン８におけるプラグホール８１内に配置し、円筒部１１に装着した環状のシール部材４を、プラグホール８１における開口端部８２内に嵌入して用いるものである。
【００１８】
図１に示すごとく、上記シール部材４は、円筒部１１の軸方向一端部１１１の最外周面に装着してあり、かつ当該装着位置の外周側において、プラグホール８１の開口端部８２内に嵌入するよう構成してある。
そして、本例の点火コイル１においては、円筒部１１の軸方向一端部１１１をコネクタケース３の嵌入穴３０内に嵌入した嵌入位置Ａと、シール部材４をプラグホール８１の開口端部８２内に嵌入した嵌入位置Ｂとが、円筒部１１の軸方向Ｌにずれている。
【００１９】
以下に、本例の点火コイル１につき、図１〜図３と共に詳説する。
図２に示すごとく、上記一次コイル２１は、円筒状樹脂からなる一次スプール２１１の外周面に、絶縁被覆した一次電線を複数回巻回してなり、上記二次コイル２２は、円筒状樹脂からなる二次スプール２２１の外周面に、絶縁被覆した二次電線を一次電線よりも多い巻回数で巻回してなる。また、二次コイル２２は、一次コイル２１の内周側に配置してあり、二次コイル２２の内周側には、電磁鋼板からなる中心コア２３が配置してある。また、一次コイル２１は、円筒状樹脂からなるコイルケース２５内に配置してあり、コイルケース２５の外周側には、電磁鋼板からなる断面円筒状の外周コア２４が装着してある。そして、本例の円筒部１１の最外周面は、外周コア２４によって形成してある。
【００２０】
また、中心コア２３を構成する電磁鋼板は、絶縁被膜を備えた平板状の珪素鋼板を点火コイル１の軸方向Ｌに直交する横断面方向に向けて複数積層してなる。また、外周コア２４を構成する電磁鋼板は、軸方向Ｌにスリット（間隙）を形成してなる円筒状の珪素鋼板を、径方向に接着剤を介して複数積層してなる。そして、中心コア２３及び外周コア２４により、一次コイル２１に電流を流して発生させる磁束、及び二次コイル２２によって生じた磁束を通過させる磁気経路を形成することができる。
【００２１】
図１、図２に示すごとく、本例の点火コイル１は、その円筒部１１の軸方向一端部１１１に、プラグホール８１の外部に配置する上記コネクタケース３を備えると共に、その円筒部１１の軸方向他端部１１２に、スパークプラグを取り付けるプラグ取付部１２を備えている。
本例のコネクタケース３は、筒形状のケース本体部３１と、このケース本体部３１から径方向外方へ突出形成したコネクタ部３２を備えている。ケース本体部３１内には、中心コア２３の調芯（中心位置合わせ）を行うための調芯部３１１が形成してある。
【００２２】
また、コネクタ部３２は、一次コイル２１の巻線端部及び二次コイル２２の巻線端部にそれぞれ導通する複数の導通ピン３２１をインサート成形してなる。一次コイル２１及び二次コイル２２は、コネクタ部３２によって、エンジン８の電子制御ユニット（ＥＣＵ）に電気的に接続される。
なお、コネクタケース３には、ケース本体部３１から径方向外方に向けて、当該点火コイル１をエンジン８に固定するためのフランジ部を突出形成することもできる。
【００２３】
また、図２に示すごとく、本例のプラグ取付部１２は、コイルケース２５から延長形成した樹脂ベース２５１に、スパークプラグを嵌入させるプラグキャップ５１、及び二次コイル２２の高電圧巻線端部に導通する二次ターミナル（高電圧端子）５２を配設してなる。また、図示は省略するが、プラグ取付部１２に取り付けたスパークプラグは、その一対の電極をエンジン８の燃焼室内に配置した状態で、エンジン８に螺合する。
また、上記コネクタケース３のケース本体部３１、コイルケース２５及び樹脂ベース２５１によって囲まれた点火コイル１内の間隙には、エポキシ樹脂等の熱硬化性樹脂１５が充填してある。
【００２４】
図１に示すごとく、本例のプラグホール８１の開口端部８２は、このプラグホール８１の一般部８１１よりも拡径し、シール部材４を嵌入するよう構成した段付開口端部８２である。この段付開口端部８２の内周面は、開口角部８２１に向けて拡径するように緩やかに傾斜するテーパ状に形成してある。
【００２５】
同図に示すごとく、本例のシール部材４は、弾性変形可能なエラストマーからなり、円筒形状の本体部４１の外周の全周に、プラグホール８１の段付開口端部８２の内周面に当接するシール突起４２を有している。
また、シール部材４は、本体部４１の内周の全周に、シール突起４２の形成位置に対応して、このシール突起４２の弾性変形量を大きくするための弾性変形用凹部４３を有している。そして、本体部４１の内周における弾性変形用凹部４３を形成した以外の部位には、外周コア２４の軸方向一端部の最外周面に密着する密着面４４が形成してある。
【００２６】
また、シール突起４２及び弾性変形用凹部４３は、シール部材４の軸方向Ｌの複数箇所（本例では２箇所）に形成してある。また、シール部材４は、その軸方向一端側の端部に、コネクタケース３のケース本体部３１における筒状先端部の全外周に覆い被さった補助シール部４５を有している。
【００２７】
上記点火コイル１において、ＥＣＵにおける制御により、コネクタ部３２を介して一次コイル２１に電流が流れると、中心コア２３及び外周コア２４を通過する磁界が形成される。そして、一次コイル２１に流れる電流を遮断したときには、上記磁界の形成方向とは反対方向に向けて、中心コア２３及び外周コア２４を通過する誘導磁界が形成される。この誘導磁界の形成により、二次コイル２２に誘導起電力（逆起電力）が発生し、点火コイル１に取り付けたスパークプラグからスパークを発生させることができる。
【００２８】
本例の点火コイル１は、その円筒部１１をプラグホール８１内に挿入配置して用いるスティックタイプのものであり、プラグホール８１内に水が浸入することを防止するためのシール部材４の形状に工夫を行ったものである。
具体的には、上記のごとく、本例のシール部材４は、外周コア２４に装着した位置の外周側において、上記複数のシール突起４２がプラグホール８１の段付開口端部８２内に嵌入される。そして、外周コア２４をコネクタケース３の嵌入穴３０内に嵌入した嵌入位置Ａと、シール部材４をプラグホール８１の段付開口端部８２内に嵌入した嵌入位置Ｂとが、外周コア２４の軸方向Ｌにずれている。
【００２９】
これにより、点火コイル１をプラグホール８１内に配置して、シール部材４をプラグホール８１における段付開口端部８２内に嵌入する際には、この嵌入を行う際に段付開口端部８２の内周面からシール部材４に加わる押圧力は、コネクタケース３のケース本体部３１に作用させることなく、外周コア２４に作用させることができる。そのため、上記嵌入の際に、コネクタケース３のケース本体部３１が割れてしまうことを防止することができる。
【００３０】
また、上記嵌入を行う際には、シール部材４に上記各弾性変形用凹部４３が形成してあることによって、各シール突起４２を径方向内方へ容易に変形させることができる。これにより、段付開口端部８２内へのシール部材４の嵌入性（圧入性）を向上させることができる。
また、点火コイル１をプラグホール８１内に配置して、シール部材４を段付開口端部８２内に嵌入した状態においては、段付開口端部８２とシール部材４との間は、シール突起４２によってシールすることができ、シール部材４と外周コア２４との間は、外周コア２４へのシール部材４における密着面４４の密着によってシールすることができる。これにより、シール部材４によって、プラグホール８１内に水が浸入することを効果的に防止することができる。
【００３１】
また、シール部材４の補助シール部４５により、コネクタケース３とシール部材４との境界部分から、プラグホール８１内に水が浸入することを効果的に防止することができる。これにより、シール部材４によるシール性を一層向上させることができる。
【００３２】
それ故、本例の点火コイル１によれば、点火コイル１を段付開口端部８２を備えたプラグホール８１内に配置して用いる際に、コネクタケース３に割れが生じることを防止して、プラグホール８１内に水が浸入することを防止することができる。
【００３３】
なお、図３に示すごとく、上記円筒部１１の最外周面は、一次コイル２１及び二次コイル２２を挿通配置する上記コイルケース２５によって形成することもできる。そして、外周コア２４はコイルケース２５の内周側に配置することができる。この場合においても、点火コイル１のその他の構成及び作用効果は上述した点火コイル１と同様である。
【図面の簡単な説明】
【００３４】
【図１】実施例における、点火コイルのシール部材の周辺を示す断面説明図。
【図２】実施例における、点火コイルを示す断面説明図。
【図３】実施例における、他の点火コイルのシール部材の周辺を示す断面説明図。
【符号の説明】
【００３５】
１  点火コイル
１１  円筒部
１１１  軸方向一端部
２１  一次コイル
２２  二次コイル
２３  中心コア
２４  外周コア
２５  コイルケース
３  コネクタケース
３０  嵌入穴
４  シール部材
４１  本体部
４２  シール突起
４３  弾性変形用凹部
４４  密着面
４５  補助シール部
８  エンジン
８１  プラグホール
８２  段付開口端部
Ｌ  軸方向
【図１】
2007311715.tif 000003
【図２】
2007311715.tif 000004
【図３】
2007311715.tif 000005